(57)【要約】【課題】  表示ドラム２を用いたものでありながら、表示ドラム２自体を上下、左右、前後など任意の方向に進退移動することで、各表示ドラムのうち任意のものに対し、その並び姿勢の動作変姿に種々の組合せバーンをもたせることができる遊技機の回転表示装置の提供を目的とする。【解決手段】  前記回転駆動する表示ドラム２を、直動モータ４により回転駆動とは独立して進退駆動が成されるべく構成させて、前記所定の並び姿勢にある表示ドラム２が、その回転または停止時に、独立進退駆動する表示ドラム２の進退動作で他の並び姿勢に変姿可能に構成する。【選択図】        図１
2007029275.tif 000002
【特許請求の範囲】
【請求項１】
所定の並び姿勢に配設された複数の表示ドラムを、それぞれ独立して回転駆動することにより、各表示ドラムの周面に施された文字または図柄を任意位置で停止させ組合せ表示する遊技機の回転表示装置であって、前記回転駆動する任意の表示ドラムを、回転駆動とは独立して進退駆動が成されるべく構成すると共に、前記所定の並び姿勢にある表示ドラムを、その回転または停止時に、独立進退駆動する表示ドラムの進退動作で他の並び姿勢に変姿可能に構成したことを特徴とする遊技機の回転表示装置。
【請求項２】
請求項１において、前記並び姿勢は、面一状の並び姿勢から前後方向に進退動作させた凹凸状の並び姿勢に変姿することを特徴とする遊技機の回転表示装置。
【請求項３】
請求項１において、前記並び姿勢は、表示ドラムが回転軸芯方向に配列された並び姿勢から、所定の表示ドラムを上下または左右方向に進退動作させて配列増減された並び姿勢に変姿することを特徴とする遊技機の回転表示装置。
【発明の詳細な説明】
【技術分野】
【０００１】
本発明は、スロットマシン、パチンコ機などの遊技機における表示ドラム自体を有用に動作することのできる遊技機の回転表示装置に関する。
【背景技術】
【０００２】
一般に、この種軸回転表示装置は、周面に文字または図柄を有した複数の表示ドラムを、それぞれに設けられたステッピングモータなどにより独立して回転駆動制御させることで、各回転ドラムの文字または図柄を任意位置で停止させ組合せ表示する必要がある。
【０００３】
ところで従来、この表示ドラムの配設は、スロットマシン、パチンコ機など個々の遊技機において異なるが、３〜４個の同径の表示ドラムを、その回転軸を一致させた同軸線上に横並びに近接配置させたものを１列とし、これを１列あるいは２〜３列程度の複数列に配設させ、縦・横・斜め等の組合せ入賞ラインに設定していたものが知られている。
【０００４】
しかしながら、これらの表示ドラムは、その周面域に描ける図柄数が限られており、また、その表示面が面一となるように全て軸固定されて配設（配設位置が固定）されているために、専ら回転・停止による各表示ドラムの文字または図柄合せの表示が行えるにすぎず、表示動作が単調であるため遊技者の興趣を高めることができないという欠点を有していた。 
【０００５】
一方、表示ドラムに替えて液晶で表示すようにしたものが知られているが、このものは、ランプの消・点灯による視覚効果性と図柄数の組合せバリエーションを増やすことができるものの、遊技者にはデジタル表示によるよりも表示ドラムを用いたものを嗜好する者も少なくない。
【０００６】
そこで、特許文献１に開示された如く、表示ドラムの図柄組合せに変化性を持たせるため、表示ドラムが停止した際、そのドラムの所定の表示領域に、補助図柄としての可動部材を出没可能に配設し、ドラム表面を覆い隠すようにしたものが提案されるが、このものもでは、図柄合せのバリエーションを若干増やすことができる程度に過ぎず、組合せ入賞ラインそのものを変更することができないものであった。
【特許文献１】特開２００１−３０００５２号公報
【発明の開示】
【発明が解決しようとする課題】
【０００７】
本発明は、上記の如き問題点を一掃すべく創案されたものであって、表示ドラムを用いたものでありながら、表示ドラム自体を上下、左右、前後など任意の方向に進退移動することで、各表示ドラムのうちの任意のものに対してその並び姿勢の動作変姿が可能になり、表示ドラムを、任意の組合せパターンなどにより視覚的に演出させた動作変姿をもって遊技者に知らしめることができ、回転軸（表示ドラム）が固定されたものに比し、表示ドラムの組合せ変更を可能ならしめ、入賞ライン変化による大幅な演出効果の向上と図柄合せのバリエーションを増加させることができる遊技機の回転表示装置の提供を目的とする。
【課題を解決するための手段】
【０００８】
上記課題を解決するために本発明の遊技機の回転表示装置は、所定の並び姿勢に配設された複数の表示ドラムを、それぞれ独立して回転駆動することにより、各表示ドラムの周面に施された文字または図柄を任意位置で停止させ組合せ表示する遊技機の回転表示装置であって、前記回転駆動する任意の表示ドラムを、回転駆動とは独立して進退駆動が成されるべく構成すると共に、前記所定の並び姿勢にある表示ドラムを、その回転または停止時に、独立進退駆動する表示ドラムの進退動作で他の並び姿勢に変姿可能に構成したことを特徴とするものである。
【発明の効果】
【０００９】
本発明は、上記のように構成したことにより、表示ドラムを用いたものでありながら、表示ドラム自体を上下、左右、前後など任意の方向に進退移動することで、各表示ドラムのうちの任意のものに対してその並び姿勢の動作変姿が可能になり、その結果、例えば、横１列の並び姿勢から任意ドラムだけを上（下）動させて２列の並び姿勢に変姿し、あるいは、縦横３×３列の並び姿勢のもののうち、任意の縦、横、斜めの列や個々のドラムを前（後）動させた凹凸の並び姿勢に変姿するなど、表示ドラムを、種々の組合せパターンなどの動作制御により視覚的に演出させた動作変姿をもって遊技者に知らしめることができ、回転軸が固定された表示ドラムに比し、表示ドラムの組合せ変更が可能となり、入賞ライン変化による大幅な演出効果の向上と図柄合せのバリエーションを増加させることができる。
【発明を実施するための最良の形態】
【００１０】
以下、本発明の実施の形態を好適な実施の形態として例示する遊技機の回転表示装置を図面に基づいて詳細に説明する。図１は、本発明の実施形態に係る遊技機の回転表示装置の前面斜視図、図２は同じく後面斜視図、図３はドラムユニットの斜視図、図４は進退動作のガイド構造を示す斜視図である。この図に示すように、回転表示装置１は、横列に３個を３列配設した都合９個のドラムユニット１０、各ドラムユニット１０に配設された直動モータ（リニアモータ）４、ドラムユニット取付け板５、およびこれら部材の取付け用ブラケット６、表示ドラム２の前面部分を露出する表示窓を形成する仕切り部材７などから構成されている。
【００１１】
前記ドラムユニット１０は、表示ドラム２、該表示ドラム２内に設けられる回転モータ３、およびドラム制御基板１１や、図示しない表示ドラム２を内側から照らすバックライト用の発光ダイオードが設けられたプリント基板などを備えて構成される。
前記表示ドラム２は、その外周面に各種の文字または図柄などを施した透光性の回胴であり、前記ドラムユニット取付け板５に取り付けられ、その筒内部に配設された回転モータ３のモータ軸３１に、図柄等が上下方向にスクロールするように回転自在に支持されている。これにより、複数配設された表示ドラム２を、それぞれ独立した回転駆動制御を行わしめ、各表示ドラム２の文字または図柄を任意位置で停止させ入賞ラインの組合せ表示ができるようになっている。
【００１２】
前記回転モータ３には、角度制御が可能なステッピングモータが採用され、該ステッピングモータは、その円周面にＳ極とＮ極とが交互に連続形成するよう多極に着磁されたモータ軸（回転子）３１と、励磁コイルおよび、前記モータ軸３１の磁極外周に対向して設けられる複数の極歯を有する筒状のヨークとで構成されており、前記モータ軸３１を、前記極歯を所定極性に励磁することで回転駆動するものである。
【００１３】
前記直動モータ４は、例えば直動ステッピングモータであり、出力軸としてネジ軸４１を用い、該ネジ軸４１を、モータ内部に設けられた回転ナット（ロータ）に螺合して非回転の直進運動に変換するよう構成され、各ドラムユニット１０に配設されている。
そして、このネジ軸４１の先端部に、前記ドラムユニット取付け板５に連結させることにより、ドラムユニット１０を、所定の移動ストローク（本実施例では約２０ｍｍ程度）間において前後方向に進退駆動（直線駆動）させる。なお、ドラムユニット１０を進退駆動させるに、動力源として直動モータ４を用いたが、出力軸が回転する一般的なＡＣサーボモータを用い、一端を該出力軸に他端を取付け板５に連結した送りネジ機構、或いはソレノイド機構などにより進退動作（移動）するようにしても良く、その進退駆動構成に制限はない。また進退動作は、前後方向だけでなく、上下または左右方向に傾動することを含め動作させても良い。
【００１４】
前記ドラムユニット取付け板５には、樹脂製で凹状に成形された一対のガイド部材５１がネジ軸４１（直線駆動方向）と平行に配設される一方、前記ブラケット６には、ガイド部材５１の案内溝５１１内に係合される一対の短尺ガイド片５２が設けられている。ドラムユニット取付け板５は、両ガイド片５２に案内溝５１１を嵌装させれば容易に装着できると共に、ガイド部材５１を介してガイド片５２に支持案内されながら、ネジ軸４１の直線駆動方向（前後方向）に沿ってスライド進退自在にガイドされる。
これにより、前記表示ドラム２は、それぞれが前記回転駆動制御とは独立した直動モータ４によって進退駆動制御が行われ、回転または停止時に、所定の並び姿勢から所定の進退動作による並び姿勢に変姿することができる。なお、直動モータ４は、少なくとも２パターン以上の姿勢変姿が可能となるよう動作すべき表示ドラム２にだけ設けておけば良く、ガイド部材５１をブラケット６側に設け、ドラムユニット取付け板５の端部を直接、または設けられたガイド片５２を案内支持するようにしても良い。
【００１５】
叙述の如く構成された本発明の実施の形態において、いま所定の並び姿勢に配置された表示ドラム２を、それぞれ（任意）に配設された回転モータ３により独立して回転駆動制御することで、各表示ドラムの文字または図柄を任意位置で停止させ組合せ表示するのであるが、本発明における回転表示装置１は、前記回転駆動する表示ドラム２を、直動モータ４により回転駆動とは独立して進退駆動が成されるべく構成させて、前記所定の並び姿勢にある表示ドラム２が、その回転または停止時に、独立進退駆動する表示ドラム２の進退動作で他の並び姿勢に変姿可能に構成されている。
【００１６】
このように構成することにより、表示ドラム２を用いたものでありながら、表示ドラム２自体を上下、左右、前後など任意の方向に進退移動することで、各表示ドラムのうち任意のものに対し、その並び姿勢の動作変姿に種々の組合せバーンをもたせることが可能になる。
例えば、図１に示す所定の縦横３×３列の面一状の並び姿勢から凹凸状の他の並び姿勢（変姿過程を含む）に動作変姿することができる。その変姿パターン例を示す図５（Ａ）〜（Ｄ）に基づいて説明すると、縦横３×３列の面一状の並び姿勢では、文字、図柄合せパターンは、横列について「２a1、２b1、２c1」、「２a2、２b2、２c2」、「２a3、２b3、２c3」、縦列について「２a1、２a2、２a3」、「２b1、２b2、２b3」、「２c1、２c2、２c3」、斜め列について「２a1、２b2、２c3」、「２c1、２b2、２a3」の８通りの入賞ラインによる固定した組合せパターンに限られていた。
【００１７】
図５（Ａ）、（Ｂ）は、従来の８通りの組合せパターンを減ずる例示パターンを示すものである。先ず、図５（Ａ）に示すように、中央に配設された表示ドラム２b2のみを後動させて表示ドラム全体が面一状となった並び姿勢から凹凸状の並び姿勢に変姿させて、バックライトを消すという動作制御を行う。この様にすると、表示ドラム２b2が恰も遊技者の視界から消えた如くの印象を与え、表示ドラム２の有効化された入賞ラインによる図柄合わせが、残りの表示ドラム２による横列「２a1、２b1、２c1」、「２a3、２b3、２c3」と、縦列「２a1、２a2、２a3」と、「２c1、２c2、２c3」の４パターンに変化したことを遊技者に知らしめることができる。
同様に、図５（Ｂ）に示すように、角部に配設された表示ドラム２a1、２c1、２a3、２c3を一体的または個々に後動させると、表示ドラム２の図柄合わせが、残りの表示ドラム２による横列「２a2、２b2、２c2」と、縦列「２b1、２b2、２b3」の２パターンであることを遊技者に知らしめることができる。
その際、合わせ確率を高めるなどの制御を行うことが望ましい。
【００１８】
また、図５（Ｃ）、（Ｄ）は、従来の８通りの組合せパターンに新たな組合せパターンを追加することを例示するものである。図５（Ｃ）に示すように、横列に配設された表示ドラム２a1、２b1、２c1を一体的にまたは個々に後動させて面一状から凹凸状の並び姿勢に変姿させて、バックライトを消すという動作制御を行う。この様にすると、残った表示ドラム２b2、２c2、２b3、２c3により、縦横３×３列の並び姿勢から縦横２×２列の並び姿勢に変姿したことを遊技者に視認させることができる。つまり、表示ドラム２の有効化された入賞ラインによる図柄合わせが、残りの表示ドラムによる横列「２b2、２c2」、「２b3、２c3」と、縦列「２b2、２b3」と、「２c2、２c3」、斜め列「２b2、２c3」、「２b2、２a3」の６パターンに変化し、かつ、２組の図柄合わせによる合わせ確率が高まったことを遊技者に知らしめることができる。
同様に、図５（Ｄ）に示すように、図５（Ａ）の例示とは逆に、中央に配設された表示ドラム２b2のみを残し、他の表示ドラムを全て一体的または個々に後動させ、これを当たりとすることを遊技者に知らしめることができ、表示ドラム２の図柄合わせという概念を打破し、停止した際の文字、図柄等により、パチンコ球やコインの入賞配給数を決定するというバリエーションを遊技に加えることができる。
【００１９】
また、表示ドラム２が回転軸芯方向に配列された並び姿勢から、所定の表示ドラム２を上下または左右方向に進退動作させて配列増減された並び姿勢に変姿することも可能となる。
例えば、図６（Ａ）に示すように、４つの表示ドラム２が横１列の回転軸芯方向に配列された並び姿勢から、図６（Ｂ）に示すように表示ドラム２ａと２ｂが上動した後、表示ドラム２ａと２ｄが左右方向に移動し、図６（Ｃ）に示す縦横２×２列の並び姿勢に変姿させ、図柄合わせによる組合せパターンが変動したことを遊技者に知らしめることができる。つまり、表示ドラム２ａは、上下方向と左右方向の複合した進退動作を行うよう構成されており、表示ドラム２ｂと２ｄはそれぞれ進退方向を異なしめて構成されている。なお、図６（Ｃ）に示す並び姿勢から図６（Ａ）に示す並び姿勢に変姿するには逆の動作制御が行われる。
【００２０】
この様に、表示ドラム２を、種々の組合せパターンなどの動作制御により視覚的に演出させた動作変姿をもって遊技者に知らしめることができ、表示ドラムが軸固定されていたものに比し、表示ドラムの組合せ変更が可能となり、入賞ラインに対する大幅な視覚的演出効果の向上と図柄合せのバリエーションを増加させることができるばかりか、変姿過程においてどの様な並び姿勢となるか、あるいは並び姿勢とは関係なくシャッフルするランダム動作を組み入れることもでき、遊技者への期待感と興奮度を高めることができる。
なお、上記表示ドラム２の動作パターンは、例示したものに限定されず任意に行えるものであり、その進退動作も直線方向に限定されず、例えばブラケット６自体を回転移動させるなど回転方向に行っても良い。また、本実施例において、直動モータ４を表示ドラム２（ドラムユニット１０）に一対の関係で設け変姿パターンの態様を最大に設定したが、図５（Ａ）に例示した１パターンのみを追加するのであれば、表示ドラム２b2のみに設ければ良く、また、図５（Ｂ）に例示した４つの表示ドラム２a1、２c1、２a3、２c3が一体的にだけ動作することを要求するのであれば、ドラムユニット取付け板５をこれら４つのドラムユニット１０を一体的に装着できるように形成し、１つの直動モータ４により動作可能に構成させるなどにより、モータ数を削減させることも任意である。さらに、表示ドラム２は、全てを上下方向にスクロールする縦回転として配設したが、全てを横回転とし、或いは縦回転のものと横回転のものをミックスして配設しても良い。
【図面の簡単な説明】
【００２１】
【図１】本発明の実施形態に係る遊技機の回転表示装置の前面斜視図。
【図２】同じく遊技機の回転表示装置の後面斜視図。
【図３】ドラムユニットの斜視図。
【図４】進退ガイド構造を示す斜視図。
【図５】並び姿勢の変姿パターン例を示す説明図。
【図６】並び姿勢の他の変姿パターン例を示す説明図。
【符号の説明】
【００２２】
１      回転表示装置
１０    ドラムユニット
１１    ドラム制御基板
２      表示ドラム
３      回転モータ
３１    モータ軸
４      直動モータ
４１    ネジ軸
５      ドラムユニット取付け板
５１    ガイド部材
５２    ガイド片
５１１  案内溝
６      ブラケット
７      仕切り部材
【図１】
2007029275.tif 000003
【図２】
2007029275.tif 000004
【図３】
2007029275.tif 000005
【図４】
2007029275.tif 000006
【図５】
2007029275.tif 000007
【図６】
2007029275.tif 000008